(57)【要約】【課題】目視し得ない状況下においても、速やかに、しかも確実に接合、解除操作をなし得る留め具、及びこの留め具を備えるヘッドランプを提供する。【解決手段】第一接合体５には、一面の略中央に軸体５２が突設され、軸体５２を中心とする所定の円周上に並べて磁石５３，５４が埋設されている。第二接合体６には、略中央に円形の嵌合穴６２が軸長方向に貫設され、嵌合穴６２を中心とする所定の円周上に並べて磁石６３，６４が埋設されている。図２に示す接合状態において、磁石６３は、Ｓ極が磁石５３のＮ極に向き、磁石６４は、Ｎ極が磁石５４のＳ極を向くように配されている。【選択図】図２
2016130567.tif 000002
【特許請求の範囲】
【請求項１】
接離可能に接合する二つの接合体を備え、該接合体が取り付けられる物品を、前記二つの接合体の接合により、対象に留める留め具において、
前記二つの接合体は、
接合している場合に対向する対向面と、
磁着力が作用するように前記二つの接合体夫々に配された磁石と
を有し、
前記二つの接合体は、他方が前記一方に対して、前記対向方向を軸心とする周方向に移動することを可能にし、前記対向方向に交差する方向に移動することを規制する規制部を有し、
前記接合体の一方に配された前記磁石は、該磁石のＮ極及びＳ極が前記周方向に並ぶように配されていることを特徴とする留め具。
【請求項２】
前記規制部は、前記接合体の一方の前記対向面に設けられ、前記二つの接合体の対向方向を軸心とする軸体と、前記接合体の他方の前記対向面に設けられ、前記軸体回りに回動可能に前記軸体が嵌合する嵌合穴とを有し、
前記二つの接合体の前記磁石のＮ極及びＳ極は、前記軸体を中心とする円周上に並んでいること
を特徴とする請求項１に記載の留め具。
【請求項３】
前記軸体の基端側の外寸は前記嵌合穴の内寸に略等しく、先端側の外寸は前記嵌合穴の内寸より小さいこと
を特徴とする請求項１又は２に記載の留め具。
【請求項４】
前記嵌合穴の周面には凹部が設けられ、
前記軸体の軸長方向の端部以外の部分にて、前記軸体回りにおける前記二つの接合体の回動による脱離を可能に前記凹部に挿入される突部が設けられていること
を特徴とする請求項２又は３に記載の留め具。
【請求項５】
接離可能に接合する二つの接合体を備え、該接合体が取り付けられる物品を、前記二つの接合体の接合により、対象に留める留め具において、
前記二つの接合体は、
接合している場合に対向する対向面と、
磁着力が作用するように前記二つの接合体夫々に配された磁石と
を有し、
前記接合体は、他方が前記一方に対して、前記二つの接合体の対向方向に交差する一の方向以外の他の方向に移動することを可能にし、前記一の方向に移動することを規制する規制部を有し、
前記接合体の一方に配された前記磁石は、該磁石のＮ極及びＳ極が前記他の方向に並ぶように配されていること
を特徴とする留め具。
【請求項６】
前記規制部は、前記接合体の一方の対向面に設けられた突条と、前記接合体の他方の対向面に設けられ、前記突条に長手方向への摺動可能に嵌合する凹溝とを有し、前記接合体の夫々に配された前記磁石のＮ極及びＳ極は、前記突条又は凹溝の長手方向に並んで配されていること
を特徴とする請求項５に記載の留め具。
【請求項７】
請求項１から６までのいずれか一つに記載の留め具と、
身体に装着可能であり、前記留め具の二つの前記接合体が長手方向の端部に取り付けられる帯状体と、
該帯状体に取り付けられた照明部とを備えること
を特徴とするランプ。
【発明の詳細な説明】
【技術分野】
【０００１】
本発明は、物品を対象に留める留め具及び該留め具を備えるランプに関する。
【背景技術】
【０００２】
従来、対象としての身体の一部に各種の物品を装着して用いられる装身具が普及している。この種の装身具の一つとしてのヘッドランプは、照明部と、該照明部に取り付けられたベルトとを備えている（例えば、特許文献１参照）。
ベルトには、接合操作、及び解除操作が可能な留め具が設けてあり、ヘッドランプは、頭、首等の装着部位にベルトを巻き、留め具を接合操作することにより装着され、また留め具を解除操作することにより離脱される。なお特許文献１に開示されたヘッドランプは、板状をなす照明部のベースが留め具を兼ねるように構成されている。
【先行技術文献】
【特許文献】
【０００３】
【特許文献１】特開２００６−２１００３０号公報
【発明の概要】
【発明が解決しようとする課題】
【０００４】
しかしながら、以上のごときヘッドランプにおいては、目視し得ない状況下での留め具の接合操作、及び解除操作を強いられる場合があり、これらの操作を伴うヘッドランプの着脱に手間がかかる上、不確実な留め具の接合状態で使用されて、照明部の脱落、破損等の不具合を招来するという問題がある。
【０００５】
この問題は、ゴーグル、ポーチ等、同種の留め具を備える他の装身具、更には、物品を直接的に対象に留めるべく用いられる留め具においても同様に発生する虞がある。
【０００６】
本発明は、斯かる事情に鑑みてなされたものであり、その目的とするところは、目視し得ない状況下においても、速やかに、しかも確実に接合操作、及び解除操作をなし得る留め具、及び該留め具を備えるランプを提供することを目的とする。
【課題を解決するための手段】
【０００７】
本発明に係る留め具は、接離可能に接合する二つの接合体を備え、該接合体が取り付けられる物品を、前記二つの接合体の接合により、対象に留める留め具において、前記二つの接合体は、接合している場合に対向する対向面と、磁着力が作用するように前記二つの接合体夫々に配された磁石とを有し、前記二つの接合体は、他方が前記一方に対して、前記対向方向を軸心とする周方向に移動することを可能にし、前記対向方向に交差する方向に移動することを規制する規制部を有し、前記接合体の一方に配された前記磁石は、該磁石のＮ極及びＳ極が前記周方向に並ぶように配されていることを特徴とする。
【０００８】
本発明によれば、二つの接合体の磁石が、二つの接合体が接合している場合に磁着力が作用するように配されている。これにより、二つの接合体は、磁着力により誘導され、接合される。したがって、二つの接合体を目視せずに接合できる。
接合体の一方は、規制部により、該一方に対して他方が対向方向に交差する方向に移動することを規制する。これにより、対向方向に交差する方向に加えられる力により留め具が脱離することが防止される。
また、規制部は、接合体の一方に対して、前記対向方向を軸心として周方向に移動することを可能にし、接合体の一方の磁石のＮ極及びＳ極は、周方向に並んでいる。したがって、接合体の他方の回動により、磁石の磁着力と反発力とが入れ替わり、反発力の作用により、二つの接合体は脱離される。
【０００９】
本発明に係る留め具は、前記規制部は、前記接合体の一方の前記対向面に設けられ、前記二つの接合体の対向方向を軸心とする軸体と、前記接合体の他方の前記対向面に設けられ、前記軸体回りに回動可能に前記軸体が嵌合する嵌合穴とを有し、前記二つの接合体の前記磁石のＮ極及びＳ極は、前記軸体を中心とする円周上に並んでいることを特徴とする。
【００１０】
本発明によれば、接合体の一方の軸体が接合体の他方の嵌合穴に嵌合することで、二つの接合体が軸体回りの回動方向に移動することを可能にし、回動方向以外の対向方向に交差する方向に接合体の他方が移動することが規制される。また、二つの接合体の磁石のＮ極及びＳ極は、軸体を中心とする円周上に並んでいる。したがって、接合体を時計回り又は反時計回りのいずれかに回動させることにより磁着力と反発力を入れ替えられる。
【００１１】
本発明に係る留め具は、前記軸体の基端側の外寸は前記嵌合穴の内寸に略等しく、先端側の外寸は前記嵌合穴の内寸より小さいことを特徴とする。
【００１２】
本発明によれば、先端側の外寸が前記嵌合穴の内寸より小さいので、軸体を嵌合穴に嵌合させやすい。また、軸体は、前記軸体が設けられた前記対向面側の外寸と前記嵌合穴の内寸とが略等しいので、軸体が嵌合穴から抜け落ちることが防止され、二つの接合体のがたつきが防止される。
【００１３】
本発明に係る留め具は、前記嵌合穴の周面には凹部が設けられ、前記軸体の軸長方向の端部以外の部分にて、前記軸体回りにおける前記二つの接合体の回動による脱離を可能に前記凹部に挿入される突部が設けられていることを特徴とする。
【００１４】
本発明によれば第一接合体及び第二接合体は突部が凹部に挿入されることにより互いに係止されるので、より強固に接合される。
【００１５】
本発明に係る留め具は、接離可能に接合する二つの接合体を備え、該接合体が取り付けられる物品を、前記二つの接合体の接合により、対象に留める留め具において、前記二つの接合体は、接合している場合に対向する対向面と、磁着力が作用するように前記二つの接合体夫々に配された磁石とを有し、前記接合体は、他方が前記一方に対して、前記二つの接合体の対向方向に交差する一の方向以外の他の方向に移動することを可能にし、前記一の方向に移動することを規制する規制部を有し、前記接合体の一方に配された前記磁石は、該磁石のＮ極及びＳ極が前記他の方向に並ぶように配されていることを特徴とする。
【００１６】
本発明によれば、二つの接合体の磁石が、二つの接合体が接合している場合に磁着力が作用するように配されている。これにより、二つの接合体は、磁着力により誘導され、接合される。したがって、二つの接合体を目視せずに接合できる。
接合体の一方は、規制部により、該一方に対して他方が二つの接合体の対向方向に交差する一の方向へ移動することを規制する。これにより、該一の方向に加えられる力により二つの接合体が脱離することが防止される。
また、規制部は、接合体の一方に対して、他方が対向方向に交差する他の方向に移動することを可能にし、接合体の一方の磁石のＮ極及びＳ極は、前記他の方向に並んでいる。したがって、接合体の他方の移動により、磁石の磁着力と反発力とが入れ替わり、反発力の誘導により、二つの接合体は脱離される。
【００１７】
本発明に係る留め具は、前記規制部は、前記接合体の一方の対向面に設けられた突条と、前記接合体の他方の対向面に設けられ、前記突条に長手方向への摺動可能に嵌合する凹溝とを有し、前記接合体の夫々に配された前記磁石のＮ極及びＳ極は、前記突条又は凹溝の長手方向に並んで配されていることを特徴とする。
【００１８】
本発明によれば、接合体の一方に設けられた突条は、他方の凹溝に摺動可能に嵌合する。これにより、二つの接合体は、突条及び凹溝の長手方向に沿って摺動可能であり、突条及び凹溝の長手方向に直交する方向に移動することが規制される。これにより、突条及び凹溝の長手方向に加えられる力により、二つの接合体が脱離することが防止される。
また、二つの接合体の磁石のＮ極及びＳ極は、突条及び凹溝の長手方向に並んでいる。したがって、突条及び凹溝の長手方向に沿って、いずれかの接合体を移動させることにより磁着力と反発力とが入れ替わり、該反発力の誘導により、留め具は脱離される。
【００１９】
本発明に係るランプは、前述の留め具と、身体に装着可能であり、前記留め具の二つの前記接合体が長手方向の端部に取り付けられる帯状体と、該帯状体に取り付けられた照明部とを備えることを特徴とする。
【００２０】
本発明によれば、帯状体に前述の留め具及び照明部を接続しているので、留め具を目視せずに、ランプを身体に着脱できる。
【発明の効果】
【００２１】
本発明によれば、磁石の磁着力及び反発力を用いて、物品を目視せずに対象に留めることができる。
【図面の簡単な説明】
【００２２】
【図１】実施の形態１に係る留め具を備えるヘッドランプの斜視図である。
【図２】実施の形態１に係る留め具の斜視図である。
【図３】実施の形態１に係る留め具の斜視図である。
【図４】図２のＩＶ−ＩＶ線による断面図である。
【図５】実施の形態１に係る留め具の動作説明図である。
【図６】実施の形態１に係る留め具の動作説明図である。
【図７】実施の形態２に係る留め具の斜視図である。
【発明を実施するための形態】
【００２３】
以下、本発明に係る留め具についてその実施の形態を示す図面に基づいて詳述する。
（実施の形態１）
図１は、実施の形態１に係る留め具を備えるヘッドランプの斜視図である。図示のヘッドランプ１は、照明部２と、該照明部２に取り付けられ、身体に巻かれるベルト３ａ，３ｂとを備える。ベルト３ｂは長さ調節が可能である。照明部２は、ベース２１と該ベース２１に取り付けられる電池ケース２３及び発光部２４とを有する。
【００２４】
ベース２１は、矩形板状をなし、長手方向の両端部にベルト通し孔２１ａを有する。また、ベース２１の一面には、夫々のベルト通し孔２１ａの近くに同向きに突出するブラケット２２が設けられている。なお、図１には、片側のベルト通し孔２１ａ及びブラケット２２のみが図示されている。
【００２５】
ベルト３ａ，３ｂは、夫々の一端部をベルト通し孔２１ａに通し、ベース２１に取り付けてある。ベルト３ａ，３ｂの他端部には、留め具４を構成する第一接合体５及び第二接合体６が夫々取り付けてあり、ベルト３ａ，３ｂは、第一接合体５及び第二接合体６を後述のごとく接合することにより連結される。
【００２６】
電池ケース２３は筒形電池の収納が可能な円筒形状をなし、両端部をブラケット２２によりそれぞれ支持し、ベース２１の前記一面に軸長方向を沿わせて取り付けられている。      
【００２７】
電池ケース２３は、一方のブラケット２２から突出する端部に着脱自在の蓋２３ａを備えており、電池は、蓋２３ａを取り外して電池ケース２３内に収納される。また、電池ケース２３は他方のブラケット２２から突出する端部に摘み２３ｂを備えている。電池ケース２３は摘み２３ｂを把持して軸周りに回動操作可能である。
【００２８】
発光部２４は、電球、ＬＥＤ等の発光源を内部に備える円筒体であり、電池ケース２３の中央部に、該電池ケース２３と軸長方向を略直交させて支持されている。発光部２４は、前記発光源の発光を外部に出射する出光面をベース２１と逆側の端面に有している。出光面からの出光角度は、電池ケース２３の回動操作により変更可能である。
【００２９】
以上の如く構成されたヘッドランプ１は、ベース２１を額に当て、ベルト３ａ及び３ｂを頭、首等の装着部位に巻き、ベルト３ａの前記他端及びベルト３ｂの他端を留め具４で連結することにより、照明部が使用者の正面を照らす様に装着できる。
【００３０】
図２及び図３は、実施の形態１に係る留め具４の斜視図である。図２は、第一接合体５及び第二接合体６が接合した状態を示し、図３は、第一接合体５及び第二接合体６が脱離した状態を示している。また、図４は、図２のＩＶ−ＩＶ線による断面図である。
【００３１】
第一接合体５は、円板状をなし、外周の一部分にベルト３ａの他端が接続される接続部５１が突設されている。第一接合体５の略中央には内部から一面に突出するように、断面が円形の軸体５２が突設されている。
【００３２】
軸体５２は、中空で、突設端が先細り形状をなしている。また、軸体５２には、接続部５１側にて基端から中央にかけて、軸体５２の内側空間に移動可能な板状の可動部５２ａが設けられている。可動部５２ａは、軸体５２の外壁の一部をなす。また、第一接合体５にて、可動部５２ａに対応する部分には、空隙５２ｂが軸長方向に貫設されている。
【００３３】
可動部５２ａは、基端部を起点として、内部方向に働く力によりたわむことで移動し、前記力から開放されることにより元の位置に戻る。可動部５２ａには、基端部の反対側に突部５２ｃが設けられている。
【００３４】
第一接合体５には、軸体５２を中心とする所定の円周上に並べて磁石５３，５４が埋設されている。磁石５３，５４は、接続部５１側で中心角が９０度をなす様に位置している。磁石５３は、第一接合体５の一面側にＮ極を向けて、磁石５４は、Ｓ極を向けて配されている。
【００３５】
第二接合体６は、円板状をなし、外周の一部分にベルト３ｂの他端が接続される接続部６１が突設されている。第二接合体６の略中央には、円形の嵌合穴６２が軸長方向に貫設されている。また、嵌合穴６２の内径は、軸体５２の最大外径に略等しい。
【００３６】
嵌合穴６２の周面における接続部６１の反対側部分にて、凹部６２ａが設けられている。凹部６２ａは、内奥から嵌合穴６２の周面にかけて、周方向の幅が広がっている。第一接合体５及び第二接合体６の接合状態において、凹部６２ａには、前記凸部５２ｃが挿入される。
【００３７】
第二接合体６には、嵌合穴６２を中心とする所定の円周上に並べて磁石６３，６４が埋設されている。磁石６３，６４は、接続部６１の反対側で中心角が９０度をなすように位置している。図２に示す接合状態において、磁石６３は、Ｓ極が磁石５３のＮ極に向き、磁石６４は、Ｎ極が磁石５４のＳ極を向くように配されている。
【００３８】
以下、留め具４の動作について説明する。図５及び図６は、実施の形態１に係る留め具４の動作説明図である。留め具４は、磁石５３及び磁石６３が向かい合い、磁石５４及び６４が向かい合うように、第一接合体５及び第二接合体６を略同軸上に位置決めし、相互に接近させることにより接合される。
磁石５３，５４，６３，６４は、前述した如く配置したＮ極及びＳ極を有するので、第一接合体５及び第二接合体６を接近させることで、磁石５３，６３間及び磁石５４，６４間に磁着力が作用する。該磁着力の誘導により、第一接合体５と第二接合体６は接合する。なお、磁石をネオジウム磁石とすれば、第一接合体５及び第二接合体６は強固に接合する。
【００３９】
この時、第一接合体５の軸体５２は第二接合体６の嵌合穴６２に嵌合する。軸体５２は先細り形状を有するので、嵌合穴６２を案内し、第一接合体５及び第二接合体６は、大まかな位置合わせで同軸上で確実に接合される。また、嵌合穴６２の内径は、軸体５２の最大外径に略等しく、第一接合体５及び第二接合体６が、がたつきなく嵌合し、位置ずれが防止される。
【００４０】
更に、第一接合体５及び第二接合体６の対向方向に直交する方向への移動が規制される。また、第一接合体５及び第二接合体６は突部５２ｃが凹部６２ａに挿入されることにより互いに係止されるので、より強固に接合される。なお、軸体５２は、本実施の形態の構成に限られるものでなく、先端側の外径が、嵌合穴６２の内径より小さく、最大外径が、嵌合穴６２の内径に略等しければよい。
【００４１】
第一接合体５及び第二接合体６が接合している状態から、図５の矢印で示す様に、軸体５２を中心に、第一接合体５又は第二接合体６を時計回り又は反時計回りに９０度回転させることにより、磁石５３及び６４間、又は磁石５４及び６３間に図６の矢印で示す反発力が作用する。
【００４２】
また、第一接合体５及び第二接合体６の回転の動作により、突部５２ｃが凹部６２ａの壁面から軸体５２の内部方向への力を受け、該力により可動部５２ａが軸体５２の内部に押し込まれ、突部５２ｃは、凹部６２ａから脱離する。これにより、第一接合体５及び第二接合体６は脱離する。
【００４３】
上記の構成では、第一接合体５の磁石５３，６３間及び第二接合体６の磁石５４，６４間に磁着力が作用する。該磁着力の誘導により、目視せずに第一接合体５及び第二接合体６を接合できる。これにより、留め具４は、目視せずに容易に解除できる。したがって、ヘッドランプ１は、留め具４を目視せずに容易に身体に装着できる。
【００４４】
第一接合体５及び第二接合体６は、軸体５２及び嵌合穴６２を中心として回動可能であり、磁石５３及び５４は、軸体５２を中心とする円周上に、また、磁石６３及び６４は、嵌合穴６２を中心とする円周上に配されている。したがって、第一接合体５又は第二接合体６の回動動作により、磁石の磁着力と反発力とを入れ替え、反発力の作用により、第一接合体５及び第二接合体６を脱離させることができる。これにより、留め具４は目視せずに容易に接離できる。したがって、ヘッドランプ１は留め具４を目視せずに容易に身体から離脱できる。
【００４５】
磁石５３及び磁石５４は、軸体５２に対して９０度の中心角をなす様に配され、磁石６３及び磁石６４は、嵌合穴６２に対して９０度の中心角をなす様に配されているので、９０度の回転動作で磁着力と反発力を入れ替えることができる。
なお、磁石を配置する中心角度は、９０度に限られるものでないが、９０度以下とすれば、外力により外れやすくなる。また、９０度以上とすれば、脱離のための操作量が多くなる。したがって、中心角度は、９０度程度が操作量及び磁着力による接合の強さにおいて好ましい。即ち、磁石を配置する中心角は６０度〜１２０度程度であることが好ましい。
【００４６】
なお、以上の実施の形態１においては、第一接合体５及び第二接合体６夫々に各二個の磁石を設けているが、円弧状をなし、両端部がＮ極、Ｓ極となるように着磁された単一の磁石を軸体５２又は嵌合穴６２を中心とする円周に沿わせて配置してもよい。また、磁石の数は、第一接合体５及び第二接合体６において、各二個という構成に限られず、各三個以上とする構成であってもよい。更に、第一接合体５及び第二接合体６の磁石の個数は、同数に限られず、異なる個数であってもよい。
【００４７】
また、留め具４は、ヘッドランプ１でなく、ゴーグル、ポーチ等の他の装身具に用いる構成でもよい。更に、留め具４は、ベルトを用いず物品を直接的に対象に留めるように用いてもよい。
【００４８】
（実施の形態２）
図７は、実施の形態２に係る留め具の斜視図である。図示の留め具１００は、第一接合体２００及び第二接合体３００を有する。第一接合体２００は、円板状をなし、外周の一部分にベルト接続用の接続部２０１が突設されている。第一接合体２００の一面には、二つの矩形断面の突条２０２が設けられている。突条２０２は、長手方向が接続部２０１の突設方向に直交し、一方は、接続部２０１側に設けられ、他方は、接続部２０１の反対側に設けられている。
【００４９】
更に、第一接合体２００には、円板状の磁石２０３，２０４が埋設されている。磁石２０３，２０４は、突条２０２，２０２間で夫々の長手方向に並設されている。磁石２０３は、基部２００の一面側にＮ極を向けて、磁石２０４はＳ極を向けて配されている。
【００５０】
第二接合体３００は、円板状をなし、外周の一部分にベルト接続用の接続部３０１が突設されている。第二接合体３００の一面には、二つの平行な凹溝３０２が設けられている。凹溝３０２は、長手方向が接続部３０１の突設方向に直交し、一方は、接続部３０１側に設けられ、他方は、接続部３０１の反対側に設けられている。凹溝３０２は、第一接合体２００の突条２０２と対応する位置に設けられている。
【００５１】
また、第二接合体３００には、円板状の磁石３０３，３０４が埋設されている。磁石３０３，３０４は、凹溝３０２，３０２間で夫々の長手方向に並設されている。磁石３０３は、第二接合体３００の一面側にＳ極を向けて、磁石３０４はＮ極を向けて配されている。また、第一接合体２００及び第二接合体３００が接合している状態において磁石３０３は、Ｓ極が磁石２０３のＮ極に向き、磁石３０４は、Ｎ極が磁石２０４のＳ極を向くように配されている。
【００５２】
以下、留め具１００の動作について説明する。突条２０２及び凹溝３０２が対応するように、第一接合体２００一面及び第二接合体３００の一面を対向させると磁石２０３及び３０３間と磁石２０４及び３０４間とに磁着力が発生し、その誘導により第一接合体２００及び第二接合体３００は接合する。この時、突条２０２及び凹溝３０２は、摺動可能に嵌合する。
【００５３】
留め具１００が接合している状態から、突条２０２及び凹溝３０２の長手方向に第一接合体２００又は第二接合体３００をスライドさせた場合、磁石２０３及び磁石３０４、又は磁石２０４及び３０３が対向し、反発力が発生する。該反発力の作用により、第一接合体２００及び第二接合体３００は脱離する。
【００５４】
上記の構成では、磁石２０３，３０３間及び第二接合体６の磁石２０４，３０４間に作用する磁着力の誘導により、第一接合体２００及び第二接合体３００は接合する。これにより、留め具１００を目視せずに、容易に接合操作をすることができる。したがって、留め具１００を備える物品を留め具１００を目視せずに容易に身体に装着できる。
【００５５】
また、第一接合体２００又は第二接合体３００を突条２０２及び凹溝３０２の長手方向にスライドするだけで、磁着力と反発力を入れ替えることができる。スライド動作により、磁石の磁着力と反発力とを入れ替え、該反発力の作用により、第一接合体２００及び第二接合体３００を脱離させることができる。これにより、留め具１００を目視せずに脱離でき、留め具１００を備える物品を、留め具１００を目視せずに、身体から離脱できる。      
【００５６】
突条２０２及び凹溝３０２が設けられることにより、第一接合体２００及び第二接合体３００の突条２０２及び凹溝３０２の長手方向への移動を可能とし、突条２０２に直交する方向への移動を規制する。これにより、突条２０２の対向方向に加えられる力により、第一接合体２００及び第二接合体３００が脱離することを防ぐ。
【００５７】
なお、以上の実施の形態２においては、第一接合体５及び第二接合体６夫々に各二個の磁石を設けているが、棒状をなし、両端部がＮ極、Ｓ極となるように着磁された単一の磁石を突条２０２又は凹溝３０２の長手方向に沿わせて配置してもよい。
【００５８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５９】
１  ヘッドランプ（ランプ）
２  照明部
３ａ，３ｂ  ベルト（帯状体）
４，１００  留め具
５，２００  第一接合体
５２  軸体
５２ｃ  突部
６，３００  第二接合体
６２  嵌合穴
６２ａ  凹部
５３，５４，６３，６４,２０３，２０４，３０３，３０４  磁石
２０２  突条
３０２  凹溝
【図１】
2016130567.tif 000003
【図２】
2016130567.tif 000004
【図３】
2016130567.tif 000005
【図４】
2016130567.tif 000006
【図５】
2016130567.tif 000007
【図６】
2016130567.tif 000008
【図７】
2016130567.tif 000009